(57)【要約】【課題】広い範囲の入射光に対して再帰反射機能を発揮する部材を提供する。【解決手段】再帰反射機能部材１は大径のガラス球２とガラスビーズ集合体３とからなる。ガラス球２の下半分が埋設するガラスビーズ集合体３は微細なガラスビーズ同士が表面において結合したもので、ガラスビーズ間には隙間が存在している。ガラスビーズ集合体３とガラス球２との境界面では反射機能を発揮される。即ち、略水平方向からガラス球２に入射した光であっても屈折し、ガラスビーズ集合体３との境界面で散乱し、再びガラス球２内を通って外部に射出される。【選択図】　　図１
2004077849.tif 000002
【特許請求の範囲】
【請求項１】
大径のガラス球の下半分がガラスビーズ集合体内に埋没し、上半分が露出し、更に前記ガラスビーズ集合体はガラスビーズの表面のみが溶融してガラスビーズ同士が結合した空隙を有する焼結状態となっていることを特徴とする再帰反射機能部材。
【請求項２】
請求項１に記載の再帰反射機能部材において、前記ガラス球の屈折率とガラスビーズの屈折率とは略等しいことを特徴とする再帰反射機能部材。
【請求項３】
請求項１に記載の再帰反射機能部材において、前記ガラス球の下半分表面にはガラス球の屈折率よりも屈折率の大きなガラスビーズが一層状に付着していることを特徴とする再帰反射機能部材。
【請求項４】
請求項１に記載の再帰反射機能部材において、前記ガラスビーズ集合体はガラス球の屈折率よりも屈折率の大きなガラスビーズとガラス球の屈折率と略等しい屈折率のガラスビーズとが混合されていることを特徴とする再帰反射機能部材。
【請求項５】
請求項１乃至請求項４に記載の再帰反射機能部材において、前記ガラスビーズ同士の空隙に反射機能を有する材料または反射機能を有する材料を含有した樹脂が充填されていることを特徴とする再帰反射機能部材。
【請求項６】
請求項１乃至請求項５に記載の再帰反射機能部材において、前記ガラスビーズ集合体の一部に窓部を設け、この窓部を介してガラス球の下半分の一部に蓄光材が貼着されていることを特徴とする再帰反射機能部材。
【請求項７】
請求項１乃至請求項６に記載の再帰反射機能部材において、前記ガラスビーズ集合体の表面に、蓄光材シートまたは再帰反射シートが貼着されていることを特徴とする再帰反射機能部材。
【請求項８】
請求項１乃至請求項７に記載の再帰反射機能部材において、前記ガラス球の表面には光触媒膜が形成されていることを特徴とする再帰反射機能部材。
【請求項９】
以下の工程を含むことを特徴とする再帰反射機能部材の製造方法。
第１工程：ガラスビーズを焼成型内に充填する工程。
第２工程：第１工程で充填したガラスビーズ内にガラス球の下半分を埋設する工程。
第３工程：ガラスビーズが完全に溶融せず表層のみが溶融する温度で焼成し、ガラスビーズ同士が結合したガラスビーズ集合体を形成する工程。
【請求項１０】
以下の工程を含むことを特徴とする再帰反射機能部材の製造方法。
第１工程：ガラスビーズと水とを混合してガラスビーズスラリーを調製する工程。
第２工程：第１工程で得たガラスビーズスラリーを焼成型内に充填する工程。
第３工程：第２工程で充填したガラスビーズスラリー内にガラス球の下半分を埋設する工程。
第４工程：ガラスビーズが完全に溶融せず表層のみが溶融する温度で焼成し、ガラスビーズ同士が結合したガラスビーズ集合体を形成する工程。
【請求項１１】
請求項１０または請求項１１に記載の再帰反射機能部材の製造方法において、前記ガラスビーズ集合体を形成する工程の後に、ガラス球表面に光触媒の水溶液を吹きつけ、その後焼成して光触媒膜を形成することを特徴とする再帰反射機能部材の製造方法。
【請求項１２】
請求項１０または請求項１１に記載の再帰反射機能部材の製造方法において、前記ガラスビーズ集合体を形成する工程の後に、ガラスビーズ集合体に反射機能を有する材料を含んだ液状の樹脂を含浸せしめた後に硬化させることを特徴とする再帰反射機能部材の製造方法。
【発明の詳細な説明】
【０００１】
【発明の属する技術分野】
本発明は道路鋲やデリネータなどに組み込む再帰反射機能部材とその製造方法に関する。
【０００２】
【従来技術】
図２２に示すように、夜間などにおいて対向車線との境界を明確にするため道路の中央部に道路鋲が打ち込まれ、また予めカーブしていることをドライバーに知らせるため路肩に沿ってデリネータが設けられている。
【０００３】
従来の道路鋲は、略垂直に近い傾斜面に再帰反射シートを取り付け、この面がドライバーの方を向くように敷設している。また再帰反射シートの代わりに、特公昭６３−５１２０７号公報では、基部が大径で先部が小径となったガラス体の基部表面に金属膜を形成し、また基部と先部の間に段部を設け、この段部をホルダーで押えた構造が提案されている。
【０００４】
また、デリネータとしては特開平１１−１４９２６８号公報に開示されるように、多数の微小凹凸を形成したプラスチックプレートを反射板としてドライバーの方を向く角度で取り付けている。
【０００５】
【発明が解決しようとする課題】
上述した道路鋲やデリネータは車のヘッドライトからの光がドライバーまで反射して戻ってくる再帰反射機能を発揮できる角度が、正面を中心として左右に略４５°（合計９０°）程度の範囲に限定されている。
【０００６】
また、従来のガラスビーズやガラス球を用いた再帰反射機能部材は、ガラスビーズやガラス球の一部の表面に金属反射膜を形成したり、金属反射膜を形成した凹部にガラスビーズやガラス球を嵌め込む構造となっており、その構造が複雑でコストアップを招いている。一方、微細な凹凸をプラスチックプレートに形成したものにあっては反射光の減衰が大きく充分な再帰反射機能を発揮し得ない。
【０００７】
【課題を解決するための手段】
上記課題を解決すべく本発明に係る再帰反射機能部材は、大径のガラス球の下半分がガラスビーズ集合体内に埋没し、上半分が露出し、更に前記ガラスビーズ集合体はガラスビーズの表面のみが溶融してガラスビーズ同士が結合し空隙を有する焼結状態となった構成とした。
【０００８】
ガラス球の下半分をガラス体内に埋設しても、同じ屈折率であればその境界部で反射は生じない。しかしながら、ガラス球の下半分をガラスビーズ同士が表面で結合した空隙を有するガラスビーズ集合体に埋設した場合には、ガラス球に入射した光はガラスビーズ集合体との境界部において散乱（乱反射）して再びガラス球内を通って外部に向かって出射する。このとき、ガラスビーズが微小になる程、散乱は強くなる。尚、ガラスビーズ集合体の代わりに単に空気層とすると、ガラス球に入射した光線のうち多くは透過して再帰反射しない。
【０００９】
また、ガラスビーズの屈折率をガラス球の屈折率よりも大きなものとした場合には再帰反射機能は向上する。しかしながら、屈折率が高いと融点も高くなり、ガラスビーズ同士の表面が結合したガラスビーズ集合体となる温度まで上げると、ガラス球が溶けてしまう。そこで、この場合にはガラス球の下半分に一層状に屈折率の大きなガラスビーズを付着せしめた構成とする。尚、一層状に付着した屈折率の大きなガラスビーズの外側は前記ガラスビーズ集合体としてもよい。
【００１０】
また、上記のように屈折率の大きなガラスビーズとガラス球と同等の屈折率のガラスビーズの二層にせずに、これらのガラスビーズを混合してガラスビーズ集合体としてもよい。この場合には、融点の低いガラスビーズが混ざっているのでガラス球を溶かさずにガラスビーズ集合体を形成することができる。
【００１１】
前記ガラスビーズの間に反射機能を有する材料または反射機能を有する材料を含有した樹脂を充填した構成とし、再帰反射機能を高めることも可能となる。
また、前記ガラスビーズ集合体の一部に窓部を設け、この窓部を介してガラス球の下半分の一部に蓄光材が固着された構成とし、再帰反射機能と蓄光機能の両機能を発揮するようにしてもよい。また、ガラスビーズ集合体の表面に、蓄光材シートまたは再帰反射シートが貼着された構成とし蓄光機能、再帰反射機能を高めることも可能である。更に、ガラス球の表面に光触媒膜が形成された構成とし、防曇、防汚機能を高めてもよい。
【００１２】
また、上記の再帰反射機能部材の別の製造方法としては、例えば以下の工程を含むものとする。
第１工程：ガラスビーズを焼成型内に充填する工程。
第２工程：第１工程で充填したガラスビーズ内にガラス球の下半分を埋設する工程。
第３工程：ガラスビーズが完全に溶融せず表層のみが溶融する温度で焼成し、ガラスビーズ同士が結合したガラスビーズ集合体を形成する工程。
【００１３】
また、上記の再帰反射機能部材の別の製造方法としては、例えば以下の工程を含むものとする。
第１工程：ガラスビーズと水とを混合してガラスビーズスラリーを調製する工程。
第２工程：第１工程で得たガラスビーズスラリーを焼成型内に充填する工程。
第３工程：第２工程で充填したガラスビーズスラリー内にガラス球の下半分を埋設する工程。
第４工程：ガラスビーズが完全に溶融せず表層のみが溶融する温度で焼成し、ガラスビーズ同士が結合したガラスビーズ集合体を形成する工程。
【００１４】
また、光触媒膜を形成する場合には前記ガラスビーズ集合体を形成する工程の後に、ガラス球表面に光触媒の水溶液を吹きつけて焼成すればよい。また、反射機能を有する材料を含んだ液状の樹脂を含浸せしめて再帰反射機能を高める場合は、ガラスビーズ集合体を形成する工程の後、または光触媒膜を形成する工程の後に行えばよい。
【００１５】
【発明の実施の形態】
以下に本発明に実施の形態を添付図面に基づいて説明する。図１は本発明に係る再帰反射機能部材の断面図であり、再帰反射機能部材１は大径のガラス球２とガラスビーズ集合体３とからなる。ガラス球２は屈折率が１．５程度のソーダガラスからなり道路鋲やデリネ−タに用いる場合には、直径は１ｃｍ以上とするのが好ましい。また、ガラス球２の外部に露出する上半分の表面には光触媒膜を形成しておくことも可能である。
【００１６】
ガラス球２の下半分が埋設するガラスビーズ集合体３は微細なガラスビーズ同士が表面において結合したもので、ガラスビーズ間には隙間が存在している。ガラスビーズ集合体３へのガラス球２の埋設深さは厳密に下半分でなくともよい。
例えば、半分よりも若干深めに埋設することでガラス球の抜け落ちは確実に防止できる。
【００１７】
ガラスビーズ集合体３はガラス球２と同じ屈折率のソーダガラスからなるが、ガラス球２との境界面では反射機能を発揮する。即ち、略水平方向からガラス球２に入射した光であっても図に示すように屈折し、ガラスビーズ集合体３との境界面で散乱し、再びガラス球２内を通って外部に射出される。
【００１８】
図２（ａ）〜（ｆ）は再帰反射機能部材１の別実施例を示す断面図であり、（ａ）に示す実施例はガラスビーズ集合体３をガラス球２よりも屈折率の高いガラスビーズにて構成している。この場合はガラスビーズは一層状になる。即ち、後述するようにガラスビーズ集合体３を形成するには焼成によってガラスビーズの表面同士を結合するが、屈折率の高いガラスビーズは融点がガラス球よりも高くなる。そこで、ガラスビーズの表面が溶けるまで温度を上昇させると、ガラス球が溶けたり変形したりするので、ガラス球２の表面が溶ける温度まで上昇させガラス球２を介してガラスビーズを結合することになるので、この場合は一層状になる。尚、ガラスビーズ集合体３をガラス球２の保持とは別工程で作製する場合には一層状とはならない。
【００１９】
図２（ｂ）に示す実施例は、ガラスビーズ集合体３をガラス球２よりも屈折率の高いガラスビーズを内側に、ガラス球２と同じ屈折率のガラスビーズが外側になるように配置している。斯かる構成とすると図２（ａ）に示した実施例よりも再帰反射機能が高まる。
【００２０】
図２（ｃ）に示す実施例は、ガラスビーズ集合体３をガラス球２よりも屈折率の高いガラスビーズとガラス球２と同じ屈折率のガラスビーズとを混合している。この場合には焼成工程を図２（ｂ）に示す実施例よりも少なくしつつ再帰反射機能が高くなる。
【００２１】
図２（ｄ）に示す実施例は、ガラスビーズ集合体３に反射機能を発揮する材料として白色顔料（例えば酸化チタン）を含んだ液状の樹脂３を含浸せしめている。樹脂３はガラスビーズ間の隙間に入り込み更に乾燥硬化することによりガラスビーズ集合体３の強度を向上するとともに再帰反射機能が高くなる。
【００２２】
図２（ｅ）に示す実施例は、ガラスビーズ集合体３の一部に窓部４を形成し、この窓部４を介してガラス球２の底面に蓄光材５を固着している。斯かる構成とすることで、再帰反射機能と蓄光機能の両方が発揮される、
【００２３】
図２（ｆ）に示す実施例は、ガラスビーズ集合体３の表面に蓄光材シート５を貼着している。蓄光材シート５の代わりに再帰反射シートを貼着してもよい。
また、図示はしないが、ガラスビーズ集合体３の形状としては半球状に限らず一部にリブを設けて強度アップを図ったもの、あるいはフランジ部を形成したものなどが考えられる。
【００２４】
次に図３に基づいて再帰反射機能部材の製造方法の一例を説明する。例としては図２（ｄ）に示した構造の再帰反射機能部材とする。
先ず、ガラスビーズと水とを混ぜてガラスビーズスラリーを調製する。次いで、このスラリーを焼成型の凹部に充填する。そして、充填したガラスビーズスラリー内にガラス球２の下半分を埋設した後、ガラスビーズが完全に溶融せず表層のみが溶融する温度（７００℃程度）で焼成し、ガラスビーズ同士が結合したガラスビーズ集合体３を形成する。
このとき、焼成型として９００℃以上の高温で溶融する釉薬層を表面に形成した陶磁器等を用いることで、ガラスビーズ集合体が焼成型に溶融付着することを防ぐことができ、容易に離型できる。
【００２５】
以上によって基本的な再帰反射機能部材１を作製することができるが、この実施例では更に、酸化チタンなどの光触媒溶液をガラス球２の上半分およびガラスビーズ集合体３の表面に塗布し、約５００℃で再度焼成し、光触媒膜を形成する。
【００２６】
この後、焼成型から再帰反射機能部材１を取り出し、焼成型の凹部または別に用意した型の凹部に白色顔料を含んだ液状の樹脂を充填し、この凹部に再帰反射機能部材１を入れ、樹脂を再帰反射機能部材１のガラスビーズ集合体３に含浸せしめる。
この後、１５０℃程度で加熱硬化させることにより、樹脂の強度がアップし、ガラスビーズ集合体の強度も向上することになる。
【００２７】
図４は本発明に係る再帰反射機能部材を適用した道路鋲の斜視図であり、道路鋲１０は台形錐状の本体１１に道路に埋め込まれる脚部１２を設け、また上面には左右にガード用突条１３を形成している。そして、左右のガード用突条１３間に再帰反射機能部材１を取付けている。
【００２８】
突条１３の高さは再帰反射機能部材１のガラス球２よりも低くして水平方向からの光にも再帰反射機能を発揮することが好ましい。また本体１１を陶磁器製とした場合には本体１１を焼成型として利用することができ、道路鋲の製造工程が簡略化できる。
【００２９】
図５は本発明に係る再帰反射機能部材を適用したデリネータの使用状態を示す図であり、デリネータ２０は支柱２１の上端部にビスなどで固定されている。即ち、デリネータ２０は支柱２１の上端部に嵌まり込むキャップ２２と、このキャップ２２上にプレート２３を介して取り付けられるカップ２４と、このカップ２４内に固定される再帰反射機能部材１とから構成される。
【００３０】
図６乃至図２１はデリネータの別実施例を示す図であり、このうち、図６，８，１０，１２，１４，１６，１８，２０はデリネータの使用状態を示す図、図７，９，１１，１３，１５，１７，１９，２１の（ａ）〜（ｆ）は各実施例の六面図である。
【００３１】
即ち、図６，７に示す実施例はガラスビーズ集合体３に保持されるガラス球１の数を２とし、図８，９に示す実施例はガラスビーズ集合体３に保持されるガラス球１の数を３とし、図１０，１１に示す実施例はガラスビーズ集合体３に保持されるガラス球１の数を４としている。尚、ガラス球の数はこれに限定されない。
【００３２】
図１２，１３に示す実施例は再帰反射機能部材１を垂直方向に配置している。
また、図１４，１５に示す実施例はガラスビーズ集合体３に保持されるガラス球１の数を２とし、図１６，１７に示す実施例はガラスビーズ集合体３に保持されるガラス球１の数を３とし、図１８，１９に示す実施例はガラスビーズ集合体３に保持されるガラス球１の数を４としている。尚、ガラス球の数はこれに限定されない。
【００３３】
図２０，２１に示す実施例はデリネ−タ本体の形状を四角錐とし、各側面に再帰反射機能部材１を取り付けている。尚、デリネ−タ本体の形状を四角錐、円柱状としてもよい。
【００３４】
【発明の効果】
以上に説明したように本発明に係る再帰反射機能部材は、ガラス球の下半分を保持するガラスビーズ集合体自体が再帰反射機能を発揮するため、部品点数が従来に比べ少なくなる。
【００３５】
また、従来の再帰反射機能部材にあってはホルダーなどが再帰反射機能部材への光の入射を邪魔していたが、本発明によればガラスビーズ集合体がガラス球を保持するため、垂直軸に対して左右に約９０°（合計１８０°）の範囲において、再帰反射機能を発揮することができる。また、従来にあってはガラス球やガラスビーズに金属膜を形成して反射機能を発揮させ、或いは金属反射膜を形成した凹部にガラス球などを嵌め込んで再帰反射機能を発揮させるようにしていたが、本発明によれば金属反射膜を形成する必要はなく、コスト面で有利である。即ち、水平方向の入射光に対しても有効な再帰反射機能を有することになる。
【００３６】
更に、微細な凹凸を形成したプラスチック反射板に比較しても、再帰反射機能が大幅に向上する。したがって、道路鋲やデリネータとして使用すれば極めて効果的である。
【００３７】
具体的には、遠くからの視認性が高まるため、高速道路に使用することで安全性が高まり、また道路のセンターラインに埋め込む従来の道路鋲にあっては、反対車線を走行する車両用にも機能を発揮せしめるため、１つの道路鋲の両面に再帰反射部材を設けているが、本発明によればその必要がない。更に、フェリー埠頭などの車止めに使用する場合には、様々な角度からの車の進入に対して再帰反射機能を発揮するため、転落防止などに極めて有効である。
【００３８】
更に、蓄光機能あるいは光触媒による防曇・防汚機能を付加すれば、更に有効である。
【図面の簡単な説明】
【図１】本発明に係る再帰反射機能部材の断面図
【図２】（ａ）〜（ｅ）は再帰反射機能部材の別実施例を示す断面図
【図３】再帰反射機能部材の製造方法の一例を説明した図
【図４】本発明に係る再帰反射機能部材を適用した道路鋲の斜視図
【図５】本発明に係る再帰反射機能部材を適用したデリネータの使用状態を示す図
【図６】本発明に係る再帰反射機能部材を適用したデリネータの別実施例の使用状態を示す図
【図７】（ａ）は図６に示したデリネータに取り付けた再帰反射機能部材の正面図
（ｂ）は図６に示したデリネータに取り付けた再帰反射機能部材の背面図
（ｃ）は図６に示したデリネータに取り付けた再帰反射機能部材の左側面図
（ｄ）は図６に示したデリネータに取り付けた再帰反射機能部材の右側面図
（ｅ）は図６に示したデリネータに取り付けた再帰反射機能部材の平面図
（ｆ）は図６に示したデリネータに取り付けた再帰反射機能部材の底面図
【図８】本発明に係る再帰反射機能部材を適用したデリネータの別実施例の使用状態を示す図
【図９】（ａ）は図８に示したデリネータに取り付けた再帰反射機能部材の正面図
（ｂ）は図８に示したデリネータに取り付けた再帰反射機能部材の背面図
（ｃ）は図８に示したデリネータに取り付けた再帰反射機能部材の左側面図
（ｄ）は図８に示したデリネータに取り付けた再帰反射機能部材の右側面図
（ｅ）は図８に示したデリネータに取り付けた再帰反射機能部材の平面図
（ｆ）は図８に示したデリネータに取り付けた再帰反射機能部材の底面図
【図１０】本発明に係る再帰反射機能部材を適用したデリネータの別実施例の使用状態を示す図
【図１１】（ａ）は図１０に示したデリネータに取り付けた再帰反射機能部材の正面図
（ｂ）は図１０に示したデリネータに取り付けた再帰反射機能部材の背面図
（ｃ）は図１０に示したデリネータに取り付けた再帰反射機能部材の左側面図
（ｄ）は図１０に示したデリネータに取り付けた再帰反射機能部材の右側面図
（ｅ）は図１０に示したデリネータに取り付けた再帰反射機能部材の平面図
（ｆ）は図１０に示したデリネータに取り付けた再帰反射機能部材の底面図
【図１２】本発明に係る再帰反射機能部材を適用したデリネータの別実施例の使用状態を示す図
【図１３】（ａ）は図１２に示したデリネータに取り付けた再帰反射機能部材の正面図
（ｂ）は図１２に示したデリネータに取り付けた再帰反射機能部材の背面図
（ｃ）は図１２に示したデリネータに取り付けた再帰反射機能部材の左側面図
（ｄ）は図１２に示したデリネータに取り付けた再帰反射機能部材の右側面図
（ｅ）は図１２に示したデリネータに取り付けた再帰反射機能部材の平面図
（ｆ）は図１２に示したデリネータに取り付けた再帰反射機能部材の底面図
【図１４】本発明に係る再帰反射機能部材を適用したデリネータの別実施例の使用状態を示す図
【図１５】（ａ）は図１４に示したデリネータに取り付けた再帰反射機能部材の正面図
（ｂ）は図１４に示したデリネータに取り付けた再帰反射機能部材の背面図
（ｃ）は図１４に示したデリネータに取り付けた再帰反射機能部材の左側面図
（ｄ）は図１４に示したデリネータに取り付けた再帰反射機能部材の右側面図
（ｅ）は図１４に示したデリネータに取り付けた再帰反射機能部材の平面図
（ｆ）は図１４に示したデリネータに取り付けた再帰反射機能部材の底面図
【図１６】本発明に係る再帰反射機能部材を適用したデリネータの別実施例の使用状態を示す図
【図１７】（ａ）は図１６に示したデリネータに取り付けた再帰反射機能部材の正面図
（ｂ）は図１６に示したデリネータに取り付けた再帰反射機能部材の背面図
（ｃ）は図１６に示したデリネータに取り付けた再帰反射機能部材の左側面図
（ｄ）は図１６に示したデリネータに取り付けた再帰反射機能部材の右側面図
（ｅ）は図１６に示したデリネータに取り付けた再帰反射機能部材の平面図
（ｆ）は図１６に示したデリネータに取り付けた再帰反射機能部材の底面図
【図１８】本発明に係る再帰反射機能部材を適用したデリネータの別実施例の使用状態を示す図
【図１９】（ａ）は図１８に示したデリネータに取り付けた再帰反射機能部材の正面図
（ｂ）は図１８に示したデリネータに取り付けた再帰反射機能部材の背面図
（ｃ）は図１８に示したデリネータに取り付けた再帰反射機能部材の左側面図
（ｄ）は図１８に示したデリネータに取り付けた再帰反射機能部材の右側面図
（ｅ）は図１８に示したデリネータに取り付けた再帰反射機能部材の平面図
（ｆ）は図１８に示したデリネータに取り付けた再帰反射機能部材の底面図
【図２０】本発明に係る再帰反射機能部材を適用したデリネータの別実施例の使用状態を示す図
【図２１】（ａ）は図２０に示したデリネータに取り付けた再帰反射機能部材の正面図
（ｂ）は図２０に示したデリネータに取り付けた再帰反射機能部材の背面図
（ｃ）は図２０に示したデリネータに取り付けた再帰反射機能部材の左側面図
（ｄ）は図２０に示したデリネータに取り付けた再帰反射機能部材の右側面図
（ｅ）は図２０に示したデリネータに取り付けた再帰反射機能部材の平面図
（ｆ）は図２０に示したデリネータに取り付けた再帰反射機能部材の底面図
【図２２】道路鋲とデリネータを説明した図
【符号の説明】
１…再帰反射機能部材、２…ガラス球、３…ガラスビーズ集合体、１０…道路鋲、１１…道路鋲の本体、１２…脚部、２０…デリネータ、２１…支柱、２２…キャップ、２３…プレート、２４…カップ。
【図１】
2004077849.tif 000003
【図２】
2004077849.tif 000004
【図３】
2004077849.tif 000005
【図４】
2004077849.tif 000006
【図５】
2004077849.tif 000007
【図６】
2004077849.tif 000008
【図７】
2004077849.tif 000009
【図８】
2004077849.tif 000010
【図９】
2004077849.tif 000011
【図１０】
2004077849.tif 000012
【図１１】
2004077849.tif 000013
【図１２】
2004077849.tif 000014
【図１３】
2004077849.tif 000015
【図１４】
2004077849.tif 000016
【図１５】
2004077849.tif 000017
【図１６】
2004077849.tif 000018
【図１７】
2004077849.tif 000019
【図１８】
2004077849.tif 000020
【図１９】
2004077849.tif 000021
【図２０】
2004077849.tif 000022
【図２１】
2004077849.tif 000023
【図２２】
2004077849.tif 000024